(57)【特許請求の範囲】
【請求項１】
流体の出入りにて膨張・収縮する流体袋の外側に可撓性を有する弾性体板を備えてカフ帯を形成し、このカフ帯を、主要な動脈が内在する柔らかい部位と主要な動脈が内在しない硬い部位とを有する生体の被測定部位に巻き付けて圧迫し、被測定部位の主要な動脈を阻血して血圧などの生体情報を計測する生体情報計測装置において、上記流体袋を膨らませたとき、上記弾性体板によって流体袋の外側への膨張が抑制されて流体袋を被測定部位に向けて局所的に突出させることで、被測定部位の硬い部位に接するカフ帯の領域より被測定部位の柔らかい部位に接するカフ帯の領域で、被測定部位をより深く押し込むような構造を備えたことを特徴とする生体情報計測装置。
【請求項２】
上記弾性体板と被測定部位との距離を、被測定部位の硬い部位に接するカフ帯の領域よりも被測定部位の柔らかい部位に接するカフ帯の領域で、短くしたことを特徴とする請求項１記載の生体情報計測装置。
【請求項３】
外側が面一にされた弾性体板の内側への厚みを、被測定部位の硬い部位に接するカフ帯の領域よりも被測定部位の柔らかい部位に接するカフ帯の領域で、厚くしたことを特徴とする請求項２記載の生体情報計測装置。
【請求項４】
弾性体板を同厚平板状の本体板部とカフ帯の内外方向に厚みを有する挿入体とで構成し、被測定部位の柔らかい部位に接するカフ帯の領域における本体板部の内側に挿入体を積層したことを特徴とする請求項２記載の生体情報計測装置。
【請求項５】
被測定部位の柔らかい部位に接するカフ帯の領域における弾性体板の部位に、カフ帯の内側方向に向けて突出する凸曲部を形成したことを特徴とする請求項２記載の生体情報計測装置。
【請求項６】
被測定部位の柔らかい部位に接するカフ帯の領域における弾性体板と被測定部位との距離を、被測定部位に内在する主要な動脈の皮膚からの深さに応じて、短くしたことを特徴とする請求項１記載の生体情報計測装置。
【請求項７】
弾性体板の外側を面一に形成し、被測定部位の柔らかい部位に接するカフ帯の領域における弾性体板の内側への厚みを、被測定部位に内在する主要な動脈の皮膚からの深さに応じて、厚くしたことを特徴とする請求項６記載の生体情報計測装置。
【請求項８】
被測定部位の柔らかい部位に接するカフ帯の領域における弾性体板の部位に、被測定部位に内在する主要な動脈の皮膚からの深さに応じて、カフ帯の内側方向に突出する凸曲部を形成したことを特徴とする請求項６記載の生体情報計測装置。
【発明の詳細な説明】
【技術分野】
【０００１】
本発明は、血圧、脈波などの生体情報を計測する生体情報計測装置に関し、詳しくは、主に手首、足首などを圧迫して動脈を阻血するカフ帯に関する発明である。
【背景技術】
【０００２】
近年、健康への意識の高まりから一般家庭に簡便に生体情報を測定できる生体情報計測装置が急速に普及している。この生体情報計測装置としてはたとえば血圧測定装置がある。血圧の測定法にはコロトコフ法、触診法、フラッシュ法、超音波法、オシロメトリック法（カフ振動法）などがあるが、血圧測定装置には一般的に間接的かつ簡便に行えるオシロメトリック法が用いられている。このオシロメトリック法を用いた血圧測定装置は、流体の流出入により膨張・収縮する流体袋の外側に流体袋の膨張を抑制するための弾性体板を備えると共にこれらを外側の布と内側の布とで包んで形成されたカフ帯、流体袋に流体を流出入させるポンプ、動脈の脈波を計測する計測装置を備えて構成されている。この血圧測定装置にて血圧を測定するには、カフ帯を生体の被測定部位に巻き付け、ポンプで流体を流体袋に流入して動脈が完全に閉塞するまで被測定部位を加圧し、その後、徐々に減圧してカフ圧に重畳した動脈の脈波信号を計測装置で捉え、脈波信号の振幅変化を基に最高・最低血圧を判定したり、あるいは一定速度で被測定部位を加圧しながら脈波信号を計測装置で抽出し、最高・最低血圧を判定する。このとき、カフ帯で圧迫する生体の被測定部位としては主に上腕や手首や足首などが挙げられるが、最近では、手首を圧迫するタイプのものが小型で携帯性に優れているために注目されている。
【０００３】
ところで、手首３０には、図１３のように、上腕動脈から分岐した橈骨動脈３１と尺骨動脈３２のほかに、手甲側に橈骨３３、尺骨３４が、手掌側に腱３５がそれぞれ存在している。橈骨動脈３１と尺骨動脈３２の周辺部位は柔らかい部位（低硬度圧迫領域３６）であり、橈骨３３、尺骨３４や腱３５の周辺部位は硬い部位（高硬度圧迫領域３７）である。
【０００４】
なお、図１４は従来の流体袋２の断面図である。流体袋２は材質としてたとえばウレタンなどが用いられた内側シート１１とそれより硬度が高い外側シート１２とを熱溶着して形成されている。この流体袋２は、流入口１７を介して流体を流出入させることによって膨張・収縮するが、図１５に示すように流体袋２の中央部において最も大きく膨らみ、両端へ向かうに従い膨らみは小さくなる性質を有している。そして図１６には、この流体袋２の外側に可撓性を有する弾性体板３を固定して形成したカフ帯１を、手首３０の手掌側から巻き付けるように装着して加圧した状態を示す。この状態では、流体袋２の最も大きく膨らむ中央部には手首３０の腱３５などの硬い部位が接して腱３５からの反作用により圧迫方向と反対の方向へ膨らむ力が弾性体板３に作用すると共に、橈骨動脈３１と尺骨動脈３２付近の流体袋２の膨らみは小さく、また、手甲側でも橈骨３３、尺骨３４の周辺部位でも流体袋２の膨らみが阻害されるのであり、橈骨動脈３１及び尺骨動脈３２に大きな圧迫を付与できるものではない。このように、橈骨動脈３１及び尺骨動脈３２を有効に圧迫できないことが、装置の小型化の促進と共に手首用の血圧測定装置の技術課題となっている。
【０００５】
橈骨動脈３１及び尺骨動脈３２を有効に圧迫する技術課題に際し、従来では橈骨動脈３１及び尺骨動脈３２に接するカフ帯１の部位に複数枚の流体袋２を積層し、局所的にカフ帯１の膨らみを増加させることが行われたり（たとえば特許文献１，２参照）、流体袋２の外側に配設される弾性体板３を手首３０の断面にフィットさせ得る形状に形成することなどが行われている（たとえば特許文献３参照）。
【特許文献１】特開平１１−３１３８０５号公報
【特許文献２】特開２００３−２４２８６号公報
【特許文献３】特許第３２３５６０２号明細書
【発明の開示】
【発明が解決しようとする課題】
【０００６】
しかしながら、上記前者のものは、流体袋２の内容積が増加し、ポンプの流量を多くしなければならないため、ポンプ体積が大きくなり、結果、装置の小型化を阻害してしまう。また、上記後者のものは、依然、橈骨動脈３１及び尺骨動脈３２の周辺部位の柔らかい部位（低硬度圧迫領域３６）よりも、橈骨３３や尺骨３４や腱３５の周辺の硬い部位（高硬度圧迫領域３７）ほどカフ帯１による圧迫が大きく行われるものであり、橈骨動脈３１及び尺骨動脈３２を有効に圧迫する点で充分に機能しないものであった。
【０００７】
本発明は上記の点に鑑みてなされたものであり、装置の小型化を阻害することなく、主要な動脈が内在する被測定部位の柔らかい部位を効率良く局所的に圧迫できる生体情報計測装置を提供することを課題とするものである。
【課題を解決するための手段】
【０００８】
上記課題を解決するために本発明に係る生体情報計測装置は、流体の出入りにて膨張・収縮する流体袋２の外側に可撓性を有する弾性体板３を備えてカフ帯１を形成し、このカフ帯１を、主要な動脈が内在する柔らかい部位と主要な動脈が内在しない硬い部位とを有する生体の被測定部位に巻き付けて圧迫し、被測定部位の主要な動脈を阻血して血圧などの生体情報を計測する生体情報計測装置において、上記流体袋２を膨らませたとき、上記弾性体板３によって流体袋２の外側への膨張が抑制されて流体袋２を被測定部位に向けて局所的に突出させることで、被測定部位の硬い部位に接するカフ帯１の領域より被測定部位の柔らかい部位に接するカフ帯１の領域で、被測定部位をより深く押し込むような構造を備えたことを特徴とする。
【０００９】
これによると、カフ帯１を生体の被測定部位に巻き付けて流体袋２を膨らませたとき、流体袋２の外側への膨張を弾性体板３によって抑制でき、つまり流体袋２を被測定部位に向けて局所的に突出させることができ、被測定部位の柔らかい部位を効率良く局所的に圧迫できる。これにより流体袋２に多大な流体を入れるべくポンプ出力を増大させることもなしに、カフ帯１の構造によって主要な動脈が内在する柔らかい部位を局所的に圧迫させることができ、したがって、装置の小型化を阻害することもなく、主要な動脈が内在する被測定部位の柔らかい部位を効率良く局所的に圧迫できる。
【００１０】
また、弾性体板３と被測定部位との距離を、被測定部位の硬い部位に接するカフ帯１の領域よりも被測定部位の柔らかい部位に接するカフ帯１の領域で、短くしたことも好ましい。これによると、弾性体板３と被測定部位との距離を短くした被測定部位の柔らかい部位では、流体袋２を膨らませたとき流体袋２の外側への膨張を弾性体板３によって抑制でき、つまり流体袋２を被測定部位に向けて局所的に突出させることができ、被測定部位の柔らかい部位を効率良く局所的に圧迫できる。
【００１１】
また、外側が面一にされた弾性体板３の内側への厚みを、被測定部位の硬い部位に接するカフ帯１の領域よりも被測定部位の柔らかい部位に接するカフ帯１の領域で、厚くしたことも好ましい。これによると、外側が面一にされた弾性体板３の内側への厚みを厚くした部位では、流体袋２を膨らませたとき流体袋２が被測定部位に向けて局所的に突出され、被測定部位の柔らかい部位を効率良く局所的に圧迫できる。
【００１２】
また、弾性体板３を同厚平板状の本体板部１９とカフ帯１の内外方向に厚みを有する挿入体２０とで構成し、被測定部位の柔らかい部位に接するカフ帯１の領域における本体板部１９の内側に挿入体２０を積層したことも好ましい。これによると、被測定部位の柔らかい部位に接するカフ帯１の領域では、挿入体２０が被測定部位に近接されることで、流体袋２を膨らませたとき流体袋２が被測定部位に向けて局所的に突出され、被測定部位の柔らかい部位を効率良く局所的に圧迫できる。また、挿入体２０を本体板部１９と異なる材質で構成でき、製造の多様化を図ることができる。
【００１３】
また、被測定部位の柔らかい部位に接するカフ帯１の領域における弾性体板３の部位に、カフ帯１の内側方向に向けて突出する凸曲部２１を形成したことも好ましい。これによると、弾性体板３の凸曲部２１の形成部位では、流体袋２を膨らませたとき流体袋２が被測定部位に向けて局所的に突出され、被測定部位の柔らかい部位を効率良く局所的に圧迫できる。
【００１４】
また、被測定部位の柔らかい部位に接するカフ帯１の領域における弾性体板３と被測定部位との距離を、被測定部位に内在する主要な動脈の皮膚からの深さに応じて、短くしたことも好ましい。これによると、弾性体板３と被測定部位との距離を短くした部位では流体袋２を膨らませたとき流体袋２が被測定部位に向けて局所的に突出されるのであり、加えて弾性体板３と被測定部位との距離は被測定部位に内在する主要な動脈の皮膚からの深さに応じて短くされているから、被測定部位の深い位置に内在する主要な動脈にも流体袋２による圧迫を有効に働かせることができる。
【００１５】
また、弾性体板３の外側を面一に形成し、被測定部位の柔らかい部位に接するカフ帯１の領域における弾性体板３の内側への厚みを、被測定部位に内在する主要な動脈の皮膚からの深さに応じて、厚くしたことも好ましい。これによると、外側が面一の弾性体板３の内側への厚みを厚くした部位では流体袋２を膨らませたとき流体袋２が被測定部位に向けて局所的に突出されるのであり、加えて弾性体板３の内側への厚みは被測定部位に内在する主要な動脈の皮膚からの深さに応じて厚くされているから、被測定部位の深い位置に内在する主要な動脈にも流体袋２による圧迫を有効に働かせることができる。
【００１６】
また、被測定部位の柔らかい部位に接するカフ帯１の領域における弾性体板３の部位に、被測定部位に内在する主要な動脈の皮膚からの深さに応じて、カフ帯１の内側方向に突出する凸曲部２１を形成したことも好ましい。これによると、弾性体板３にカフ帯１の内側方向に突出する凸曲部２１を形成した部位では流体袋２を膨らませたとき流体袋２が被測定部位に向けて局所的に突出されるのであり、加えてこの凸曲部２１は被測定部位に内在する主要な動脈の皮膚からの深さに応じて内側方向に突出しているから、被測定部位の深い位置に内在する主要な動脈にも流体袋２による圧迫を有効に働かせることができる。
【発明の効果】
【００１７】
本発明は、カフ帯を生体の被測定部位に巻き付けて圧迫したときには、流体袋に多大な流体を入れるべくポンプ出力を増大させることもなしに、カフ帯の構造によって主要な動脈が内在する柔らかい部位を局所的に圧迫できるのであり、したがって、装置の小型化を阻害することもなく、主要な動脈が内在する被測定部位の柔らかい部位を効率良く局所的に圧迫できる。
【発明を実施するための最良の形態】
【００１８】
以下、本発明を添付図面に示す実施形態に基いて説明する。
【００１９】
図１乃至図４に本発明の基本構成の一例を示す。本発明の生体情報計測装置は手首３０の動脈の脈波信号を測定する血圧測定装置Ａである。この血圧測定装置Ａは、図２のように、手首３０に巻いて橈骨動脈３１及び尺骨動脈３２を圧迫するためのカフ帯１を有し、橈骨動脈３１及び尺骨動脈３２の脈波を計測する計測装置６をカフ帯１の外側に付設して構成されている。ここで、カフ帯１は、流体の流出入により膨張・収縮する流体袋２を有し、流体袋２の外側への膨張を抑制するための弾性体板３を流体袋２の外側に配置し、これらを外側の布（図示せず）と内側の布（図示せず）とで包んで一体化して構成される。なお、外側の布の外側面にはカフ帯１を手首３０に巻くためのバンド４がカフ帯１の長手方向に亙って貼着されており、このバンド４を用いてカフ帯１の内側面を手首３０に巻き付け、手首３０の断面に沿わせたカフ帯１を面ファスナー５で係着できるようにされている。また、計測装置６には、空気などの流体をチューブ８を介して流体袋２に流入させて加圧するポンプ７、流体袋２内の流体をチューブ８を介して逃がす排気弁９、橈骨動脈３１及び尺骨動脈３２の脈波を計測する圧力センサ１０、圧力センサ１０で計測した脈波から算出した血圧値を表示する表示部（図示せず）を備えて構成されている。この血圧測定装置Ａで血圧測定を行うには、まず、カフ帯１を手首３０に巻き付け、ポンプ７にて流体袋２に流体を送り込み、手首３０を所定の圧力に達するまで圧迫し、橈骨動脈３１及び尺骨動脈３２を阻血する。次に、ポンプ７を停止し一定速度で減圧するように制御された排気弁９を介して流体袋２内の流体を逃し、同時に橈骨動脈３１及び尺骨動脈３２の脈波を圧力センサ１０で捉えることで、血圧値を算出する。
【００２０】
流体袋２は、図１のように、たとえばポリウレタンやシリコンなどの可撓性材料で作られた内側シート１１と外側シート１２とを熱溶着などによって貼り合わせたり、もしくはブロー成形等によって製造される。なお、図中１７はポンプ７などから延出されたチューブ８が接続される流体袋２の流入口である。流体袋２は、流体が流入されて膨らんだとき主に内側に膨らむように、内側シート１１が外側シート１２よりも柔らかくて撓み易いように形成されている。
【００２１】
ここで、図１３のように、手首３０には、上腕動脈から分岐した橈骨動脈３１と尺骨動脈３２のほかに、橈骨３３、尺骨３４が、手掌側に腱３５がそれぞれ存在しており、橈骨動脈３１と尺骨動脈３２の周辺部位は柔らかい部位（低硬度圧迫領域３６）となり、橈骨３３、尺骨３４や腱３５の周辺部位は硬い部位（高硬度圧迫領域３７）となっている。そして、本発明は、被測定部位（手首３０）の主要な動脈（橈骨動脈３１や尺骨動脈３２）が内在する柔らかい部位（低硬度圧迫領域３６）、被測定部位（手首３０）の主要な動脈（橈骨動脈３１や尺骨動脈３２）が内在しない硬い部位（高硬度圧迫領域３７）に鑑み、低硬度圧迫領域３６に接する領域には低硬度組織圧迫用シート１３を配置し、高硬度圧迫領域３７に接する領域には高硬度組織圧迫用シート１４を配置することで、流体袋２の内側シート１１を構成し、低硬度組織圧迫用シート１３のストローク（伸縮量）を高硬度組織圧迫用シート１４にくらべて大きくしたことにある。
【００２２】
本例では、低硬度組織圧迫用シート１３はゴム硬度７０度のウレタンシートで構成され、高硬度組織圧迫用シート１４はゴム硬度８０度のウレタンシートで構成されており、これらを熱溶着などで貼り合わせることで内側シート１１が形成されている。なお、外側シート１２はゴム硬度９０度のウレタンシートで構成されている。
【００２３】
しかして、本例の流体袋２では、その内部に流入口１７を介して流体を送り込み加圧すると、図３に示すように．ゴム硬度が低い低硬度組織圧迫用シート１３は伸展性が高いためストローク（伸縮量）が大きく、一方ゴム硬摩が高い高硬度組織圧迫用シート１４では伸展性が低いためストローク（伸縮量）が小さくなるような膨らみ方になる。したがって、この流体袋２を有したカフ帯１を手首３０に周回させ、外側を面ファスナー５で係着して加圧すると、図４に示すように、橈骨３３、尺骨３４、腱３５付近の高硬度圧迫領域３７では高硬度組織圧迫用シート１４によって圧迫が小さく行われ、橈骨動脈３１、尺骨動脈３２付近の低硬度圧迫領域３６では低硬度組織圧迫用シート１３によって圧迫が大きく行われるようになり、そのため橈骨動脈３１、尺骨動脈３２を効率良く圧迫することができるのである。なお、このように橈骨動脈３１、尺骨動脈３２を効率良く圧迫させるのに、流体袋２の内側シート１１を低硬度組織圧迫用シート１３と高硬度組織圧迫用シート１４とで構成したことで行わせているので、特に流体袋２に多大な流体を流入させる必要もなく、したがってポンプ出力の増大を回避できて装置の小型化を阻害することもないといった利点もある。
【００２４】
本例について更に言うと、バンド４がゆる巻きの場合も圧迫位置ズレが起こりにくくなるため、血圧測定値の精度も良くなる。なお、本例では高硬度組織圧迫用シート１４は複数箇所に設けられておりこれらのゴム硬度は同一としているが、低硬度組織圧迫用シート１３より硬度が高ければ、各所でゴム硬度が異なっていても構わない。また、低硬度組織圧迫用シート１３と高硬度組織圧迫用シート１４の接合は熱溶着に限らず、接着剤などにより接着されていても良い。また、低硬度組織圧迫用シート１３、高硬度組織圧迫用シート１４の材質も、ウレタンに限らずシリコンや塩化ビニールなどでも可能であり、さらにこれらの複合材料によりゴム硬度が異なるように構成できる場合も本例と同様である。
【００２５】
以下、本発明の実施の形態を列挙する。この例においては、上記の血圧測定装置Ａの基本構成を踏襲しており、カフ帯１の構成につき異なる。しかして先の基本構成と同様部位には、同符号を付して説明を省略し、相違する部位につき説明する。
【００２６】
図５，６には実施の形態の一例を示す。この例は、低硬度圧迫領域３６を圧迫するカフ帯１の領域にある弾性体板３の部位を、高硬度圧迫領域３７を圧迫するカフ帯１の領域にある弾性体板３の部位よりも、手首３０に近接させるように形成した例である。具体的に、本例の弾性体板３は、図５のように、外側が面一にされ、低硬度圧迫領域３６を圧迫するカフ帯１の領域にある弾性体板３の部位２２で他の部位に比べて内側への厚みを大きくするように形成されている。なお、弾性体板３の材質としてはたとえばポリエチレンテレフタレートや皮革、プラスチックが好適に用いられる。そして、この弾性体板３を有するカフ帯１を手首３０に周回させ、外側を面ファスナー５で係着して加圧すると、図６に示すように、低硬度圧迫領域３６を圧迫するカフ帯１の領域にある弾性体板３の部位２２は弾性体板３の他の部位よりも手首３０に近接するから、流体袋２を膨らませたとき流体袋２の外側への膨張が抑制されて流体袋２を被測定部位に向けて局所的に突出させることができ、しかして橈骨動脈３１及び尺骨動脈３２を効率良く局所的に圧迫できる。
【００２７】
図７には実施の形態の他例を示す。この例は、弾性体板３を同厚平板状の本体板部１９とカフ帯１の内外方向に厚みを有する挿入体２０とで構成し、低硬度圧迫領域３６に接するカフ帯１の領域における本体板部１９の内側に挿入体２０を積層したものである。これによっても図５，６同様の作用効果が得られる。なお、挿入体２０としてはエラストマー、プラスチック、皮革などが好適に用いられる。そして本例では、このように挿入体２０を本体板部１９と異なる材質で構成できるから、カフ帯１の装着感などの使用性の向上を図る上で必要とされる製造の多様化に対応できるといった利点も有している。
【００２８】
図８には実施の形態のさらに他例を示す。この例は、各動脈３１，３２の皮膚からの深さに鑑みて、尺骨動脈３２を圧迫する部位２２の弾性体板３の内側への厚みを、橈骨動脈３１を圧迫する部位２２の弾性体板３の内側への厚みに比べて、厚くするように形成させている。これによると、橈骨動脈３１に比べて皮膚から深い位置にある尺骨動脈３２にも流体袋２による圧迫を有効に働かせることができる。なお、図７の本体板部１９に積層した２ヵ所の挿入体２０のうち、尺骨動脈３２を圧迫する側の挿入体２０の内外方向への厚みを厚く形成しても、本例同様の作用効果が得られて好ましい。
【００２９】
図９、１０には実施の形態のさらに他例を示す。この例は、低硬度圧迫領域３６に接するカフ帯１の領域における弾性体板３の部位に、カフ帯１の内側方向に向けて突出する凸曲部２１を形成した例である。図１０には、この弾性体板３を有するカフ帯１を手首３０に周回させ、外側を面ファスナー５で係着して加圧した状態が示されている。これによると、図５，６の例と同様に、弾性体板３の凸曲部２１が流体袋２の外側への膨らみを抑制し、流体袋２を被測定部位に向けて局所的に突出し、橈骨動脈３１及び尺骨動脈３２を効率良く局所的に圧迫できる。更にいうと、凸曲部２１の内側面が動脈３１，３２に向かって膨らむように形成されると、流体袋２の内側への膨らみに指向性をもたせることができ、一層効率よく動脈３１，３２を圧迫できる。なお、本例の弾性体板３は手首３０の断面に沿う形状に形成されていても好ましい。これによると、カフ帯１を手首３０に嵌め込むように装着でき、血圧測定装置Ａの使用感を高めることができる。
【００３０】
図１１には実施の形態のさらに他例を示す。この例は、各動脈３１，３２の皮膚からの深さに鑑みて、尺骨動脈３２を圧迫する側の凸曲部２１を、橈骨動脈３１を圧迫する側の凸曲部２１に比べて、よりカフ帯１の内側方向に突出するように形成させた例である。これによると、図８の例と同様の作用効果を得ることができる。
【００３１】
図１２には実施の形態のさらに他例を示す。一般に、手首３０は長手方向にテーパ形状を呈し、図１７のように、心臓から遠い側（末梢側厚さａ）に比べて心臓に近い側（中枢側厚さｂ）のほうが筋肉組織が厚いため、橈骨動脈３１、尺骨動脈３２の皮膚表面からの深さは中枢側へ向かうに従い深くなっている。本例は、腕の長手方向における橈骨動脈３１や尺骨動脈３２の皮膚からの深さに鑑みて、図９，１０の例の凸曲部２１における中枢側部位２１ａを、末梢側部位２１ｂに比べて、カフ帯１の内側に突出させた例である。これによると、凸曲部２１を形成した部位では流体袋２を膨らませたとき流体袋２が低硬度圧迫領域３６に局所的に突出されるのであり、加えてこの凸曲部２１は腕の長手方向における橈骨動脈３１、尺骨動脈３２の皮膚からの深さに応じて内側方向に突出しているから、皮膚から深い位置に内在する橈骨動脈３１、尺骨動脈３２にも中枢側部位２１ａによって流体袋２による圧迫を有効に働かせることができ、橈骨動脈３１、尺骨動脈３２を効率良く圧迫することができる。
【００３２】
なお、図示はしないが、腕の長手方向における橈骨動脈３１や尺骨動脈３２の皮膚からの深さに鑑みて、低硬度圧迫領域３６に接するカフ帯１の領域における弾性体板３の内側への厚みを中枢側ほど厚くすることも好ましい。これによっても図１２の例と同様の作用効果が得られる。
【００３３】
また、上記実施の形態の諸例においては、被測定部位を手首３０とした生体情報測定装置（血圧測定装置Ａ）を例に挙げて説明したが、被測定部位としては手首３０に限られず、上腕部、足首部、大腿部や指などにおいても本装置を適用できることはいうまでもない。
【図面の簡単な説明】
【００３４】
【図１】本発明の基本構成の例における流体袋であり、（ａ）は正面図であり、（ｂ）は下面図である。
【図２】同上の基本構成の血圧測定装置を手首に装着した状態を概略的に示す正面断面図である。
【図３】同上の流体袋の膨らみ具合を説明する流体袋の正面図である。
【図４】同上のカフ帯の手首への圧迫具合を説明する説明図である。
【図５】本発明の実施の形態の一例における弾性体板であり、（ａ）は正面図であり、（ｂ）は下面図である。
【図６】同上のカフ帯の手首の圧迫具合を説明する説明図である。
【図７】本発明の実施の形態の他例における弾性体板であり、（ａ）は正面図であり、（ｂ）は下面図である。
【図８】本発明の実施の形態の更に他例における弾性体板であり、（ａ）は正面図であり、（ｂ）は下面図である。
【図９】本発明の実施の形態の更に他例における弾性体板の正面図である。
【図１０】同上のカフ帯の手首の圧迫具合を説明する説明図である。
【図１１】本発明の実施の形態の更に他例における弾性体板の正面図である。
【図１２】本発明の実施の形態の更に他例における弾性体板の斜視図である。
【図１３】手首の構造を説明する手首の概略断面図である。
【図１４】従来技術の例を示す流体袋の正面図である。
【図１５】同上の流体袋の膨らみ具合を説明する流体袋の正面図である。
【図１６】同上のカフ帯の手首の圧迫具合を説明する説明図である。
【図１７】腕の構造について説明する説明図である。
【符号の説明】
【００３５】
１  カフ帯
２  流体袋
３  弾性体板
２０  挿入体
２１  凸曲部
Ａ  血圧測定装置
【図１】
0004400688.tif 000002
【図２】
0004400688.tif 000003
【図３】
0004400688.tif 000004
【図４】
0004400688.tif 000005
【図５】
0004400688.tif 000006
【図６】
0004400688.tif 000007
【図７】
0004400688.tif 000008
【図８】
0004400688.tif 000009
【図９】
0004400688.tif 000010
【図１０】
0004400688.tif 000011
【図１１】
0004400688.tif 000012
【図１２】
0004400688.tif 000013
【図１３】
0004400688.tif 000014
【図１４】
0004400688.tif 000015
【図１５】
0004400688.tif 000016
【図１６】
0004400688.tif 000017
【図１７】
0004400688.tif 000018